(57)【要約】【課題】  光通信リンクを介して移動通信装置にデータを転送するとともに、該移動通信装置が保持するデータファイルを更新するためのプロトコルを提供する方法および移動通信装置を実現する。【解決手段】  データ格納部１５を備えた移動通信装置１２における、データファイルを取得する方法であって、上記移動通信装置１２は、光学式データ収集メカニズムとしてＣＣＤカメラ１４を有しており、コンピュータの読取り可能な形式でデータを提供するステップＳ１６と、単一のグラフィックファイルに、上記データを格納できるか否かについて決定するステップＳ１８と、データを図形表示に変換するステップＳ２３と、上記移動通信装置１において、上記光学式データ収集メカニズムであるＣＣＤカメラ１４により図形表示を読取り、移動通信装置に格納するステップＳ３２とを含む。【選択図】  図１
2005102224.tif 000002
【特許請求の範囲】
【請求項１】
データ格納部を備えた移動通信装置における、データファイルを取得する方法であって、
上記移動通信装置は、光学式データ収集メカニズムを有しており、
コンピュータの読取り可能な形式でデータを提供するステップと、
単一のグラフィックファイルに、上記データを格納できるか否かについて決定するステップと、
データを図形表示に変換するステップと、
上記移動通信装置において、上記光学式データ収集メカニズムにより図形表示を読取り、格納するステップとを含むことを特徴とする方法。
【請求項２】
データを単一のグラフィックファイルに格納できない場合、該データを複数の図形表示に変換するステップをさらに含むことを特徴とする請求項１に記載の方法。
【請求項３】
上記格納するステップは、
上記図形表示を収集するステップと、
上記図形表示の収集に成功したか否かを決定するステップと、
上記図形表示を復号化するステップと、
上記復号化された図形表示を、移動通信装置が備えるデータ格納部に格納するステップとを含むことを特徴とする請求項１に記載の方法。
【請求項４】
上記図形表示の収集に成功しなかった場合、この収集が成功するまで図形表示を読取るステップをさらに含むことを特徴とする請求項３に記載の方法。
【請求項５】
工場出荷時初期設定の図形表示を収集し、上記移動通信装置における工場出荷時初期設定を復元するステップをさらに含むことを特徴とする請求項１に記載の方法。
【請求項６】
上記データが、選択式ローミングリストデータであることを特徴とする請求項１に記載の方法。
【請求項７】
データ格納部を備えた移動通信装置にファイルされた、選択式ローミングリストデータを取得する方法であって、
上記移動通信装置は、光学式データ収集メカニズムを備えており、
コンピュータの読取り可能な形式で、選択式ローミングリストデータを提供するステップと、
単一のグラフィックファイルに、上記選択式ローミングリストデータを格納できるか否かを決定するステップと、
選択式ローミングリストデータを、図形表示に変換するステップと、
上記移動通信装置において、光学式データ収集メカニズムにより、選択式ローミングリストデータの図形表示を読取り、格納するステップとを含むことを特徴とする方法。
【請求項８】
選択式ローミングリストデータを単一のグラフィックファイルに格納できない場合、該選択式ローミングリストデータを複数の図形表示に変換することを特徴とする請求項７に記載の方法。
【請求項９】
上記格納するステップは、
上記図形表示を収集するステップと、
上記図形表示の収集に成功したか否かを決定するステップと、
上記図形表示を復号化するステップと、
復号化された選択式ローミングリストデータの図形表示を、上記移動通信装置が備える選択式ローミングリストデータ格納部に格納するステップとをさらに含むことを特徴とする請求項７に記載の方法。
【請求項１０】
上記図形表示の収集に成功しなかった場合、この収集が成功するまで該図形表示を読取るステップをさらに含むことを特徴とする請求項９に記載の方法。
【請求項１１】
選択式ローミングリストデータの工場出荷時初期設定の図形表示を収集し、上記移動通信装置における、選択式ローミングリストデータの工場出荷時初期設定を復元するステップをさらに含むことを特徴とする請求項７に記載の方法。
【請求項１２】
データ格納部を備えた移動通信装置にファイルされたデータを取得する方法であって、
上記移動通信装置は、光学式データ収集メカニズムを有しており、
コンピュータの読取り可能な形式でデータを提供するステップと、
上記データを単一のグラフィックファイルに格納できるか否か決定するステップと、
データを図形表示に変換するステップと、
上記移動通信装置において、上記光学式データ収集メカニズムにより上記図形表示を読取るステップと、
図形表示を収集するステップと、
上記図形表示の収集に成功したか否かを決定するステップと、
上記図形表示を復号化するステップと、
上記復号化した図形表示を、移動通信装置のデータ格納部に格納するステップとを含むことを特徴とする方法。
【請求項１３】
データを単一のグラフィックファイルに格納できない場合、該データを複数の図形表示に変換するステップをさらに含むことを特徴とする請求項１２に記載の方法。
【請求項１４】
上記図形表示の収集に成功しなかった場合、収集に成功するまで該図形表示を読取るステップをさらに含むことを特徴とする請求項１２に記載の方法。
【請求項１５】
工場出荷時初期設定の図形表示を収集し、上記移動通信装置における、工場出荷時初期設定を復元するステップをさらに含むことを特徴とする請求項１２に記載の方法。
【請求項１６】
上記データが、選択式ローミングリストデータであることを特徴とする請求項１２に記載の方法。
【請求項１７】
データを単一のグラフィックファイルとして記憶させることができるか否かを判定し、
上記データが単一のグラフィックファイルとして記憶させることができないと判定された場合、上記データを複数のグラフィックファイルに分割し、
上記分割したデータを図形表示に変換することを特徴とする情報処理装置。
【請求項１８】
データから変換された図形表示を収集し、
上記図形表示を全て収集したか否かを確認し、
上記図形表示が全て収集されたと確認された場合、上記収集した図形表示を復号化し記憶することを特徴とする移動通信装置。
【請求項１９】
請求項１７に示す情報処理装置と請求項１８に示す移動通信装置とを備えることを特徴とする情報伝送システム。
【発明の詳細な説明】
【技術分野】
【０００１】
本発明は、移動通信装置に関するものであり、特には、移動通信装置、ＣＣＤカメラおよびそれらの間における通信リンクの技術に関する。
【背景技術】
【０００２】
近年では、物理的に接続したり、ＲＦ（Radio Frequency）接続したりする必要がなく、移動情報処理装置（携帯通信装置（portable communication device; ＰＣＤ）と称する）のメモリを初期化または更新することが望まれている。例えば、この携帯通信装置（ＰＣＤ）のメモリに記憶された情報を初期化あるいは更新する場合、通常では、上記ＰＣＤの販売店舗または修理店舗において、上記装置は顧客サービス代行者（customer service representative; ＣＳＲ）によって設定される（provisioned）。つまり、上記ＣＳＲは、ＰＣＤのメモリに記憶された情報を初期化あるいは更新するために準備されたコンピュータに、上記ＰＣＤを接続して該ＰＣＤのメモリに記憶された情報の初期化あるいは更新が行われる。
【０００３】
すなわち、ＰＣＤのメモリに記憶された情報を初期化あるいは更新する場合、上記ＣＳＲは、上記コンピュータ、そのコンピュータにおける上記ＰＣＤに特有のプログラム、および該ＰＣＤをこのコンピュータに接続するための、ＰＣＤに特有のデータケーブルを利用する必要がある。そこで、上記コンピュータ、コンピュータプログラムおよびデータケーブルを必要としない、ＰＣＤの設定手段を提供することによって、上記した設定処理における、ＣＳＲの負担を低減させるようになる。
【０００４】
例えば、複数の装置間における情報データの伝送において、この伝送に係る特有のプログラム、およびこの装置同士を接続するための、特有のデータケーブルを利用する必要がない方法として以下の方法が開示されている。
【０００５】
すなわち、特許文献１として「Yoshitoshi著『ブラックライトおよびそれを利用する液晶表示装置（Blacklight and liquid crystal display apparatus using the same）』」では、スキャン可能なバーコード表示の使用、およびその使用方法が開示されている。
【０００６】
また、特許文献２として「Ueno他著『移動端末装置と２次元バーコードとを用いるデータ転送システム（Data transfer system using mobile terminal and two-dimensional barcode）』」では、移動端末装置と２次元バーコードとを用いるデータ転送システム、すなわち、購入品の支払、会員カードの管理、チケットの受け付けまたは他のサービスに使用される処理システム、サーバ、処理端末装置および通信端末装置が開示されている。
【０００７】
また、特許文献３として「Shin他著『集約的顧客管理システムおよび無線バーコードを用いる方法（integrated customer management system and method using wireless barcode）』では、顧客管理システムにおいて使用するためのシステムおよび、移動端末装置に表示されたＬＣＤバーコードを使用する方法が開示されている。
【０００８】
また、特許文献４として「Fernboeck著「全ての種類のデータを収集し、好ましくはあらゆる種類のデータを処理し、格納し、伝送するための装置および方法（Apparatus and method for collecting, possibly processing, storing and transmitting all kinds of data）」では、収集および操作データに関する装置ならびに方法が開示されており、収集端末装置がユニタリー構造（unitary structure）で内蔵されている。
【０００９】
また、特許文献５として「Doherty他著『データ操作（Data Handling）』」では、移動電話機形式のデータ操作装置、および幾つかの不特定種類のスキャナが開示されている。この特許文献５では、電話と移動システムとの間におけるＲＦ接続では、スキャンしたデータを、電話機に格納し、このデータを移動システムに転送できる機能を提供する。
【特許文献１】米国特許第２００２／００７１０６７号明細書（２００２年６月１３日公開）
【特許文献２】米国特許第２００１／００５１９１５号明細書（２００１年１２月１３日公開）
【特許文献３】国際公開第０２／２７５９３号パンフレット（２００２年４月４日公開）
【特許文献４】欧州特許第０５３７５２２号明細書（１９９３年４月２１日公開）
【特許文献５】国際公開第０１／５７８１１号パンフレット（２００１年８月９日公開）
【発明の開示】
【発明が解決しようとする課題】
【００１０】
しかしながら、上記特許文献１〜５では、ＣＣＤカメラが、携帯電話機において、両方の用途に利用可能な装置(dual use device)として使用されることについて開示されていない。さらに、この文献では、スキャンされたデータが、携帯電話機の使用および機能において固有のものとして扱われることについても開示されていない。
【００１１】
すなわち、上記特許文献１〜５では、携帯電話機が備えるＣＣＤカメラを、通常の撮影機能のみならず、情報の伝送手段として用いることが開示されていない。また、上記ＣＣＤカメラで読取られた図形表示を、携帯電話機の各種動作を制御するための情報として取り扱うことについても開示されていない。このため、上記特許文献１〜５に示される構成では、上記ＰＣＤに特有のプログラム、および該ＰＣＤをこのコンピュータに接続するための、ＰＣＤに特有のデータケーブルを利用することなく、ＰＣＤのメモリに記憶された情報を初期化あるいは更新することができない。
【００１２】
従って、本発明は、上記の問題点に鑑みてなされたものであり、その目的は、光通信リンクを介して移動通信装置にデータを転送することである。また、本発明の他の目的は、ハードワイヤード（hard-wired）システムまたはＲＦ通信システムを必要とすることなく、移動機器（モバイル機器）が保持するデータファイルを更新するためのプロトコルを提供することである。
【００１３】
すなわち、光通信リンクを介して移動通信装置にデータを転送するとともに、該移動通信装置が保持するデータファイルを更新するためのプロトコルを提供する方法、情報処理装置、移動通信装置、および情報伝送システムを実現することである。
【課題を解決するための手段】
【００１４】
本発明に係る方法は、上記した課題を解決するために、データ格納部を備えた移動通信装置における、データファイルを取得する方法であって、上記移動通信装置は、光学式データ収集メカニズムを有しており、コンピュータの読取り可能な形式でデータを提供するステップと、単一のグラフィックファイルに、上記データを格納できるか否かについて決定するステップと、データを図形表示に変換するステップと、上記移動通信装置において、上記光学式データ収集メカニズムにより図形表示を読取り、格納するステップとを含むことを特徴とする。
【００１５】
すなわち、本発明に係る方法では、移動通信装置が、データを図形表示に変換することができ、また図形表示をコンピュータの読取り可能な形式としたデータをグラフィックファイルに格納できるため、ハードワイヤード接続またはＲＦ接続など特別な接続作業を必要とすることなくデータを取得したりあるいは他の通信装置に伝送したりすることができる。
【００１６】
また、本発明に係る方法は、上記した方法において、データを単一のグラフィックファイルに格納できない場合、該データを複数の図形表示に変換するステップをさらに含むことが好ましい。
【００１７】
すなわち、本発明に係る方法は、上記した方法において、移動通信装置は、データを単一のグラフィックファイルに格納できない場合、データを複数の図形表示に変換することができる。
【００１８】
したがって、伝送するデータ量が大きく単一のグラフィックファイルに格納できない場合であっても、複数の図形表示として示すことができるため、上記移動通信装置は、データ量が大きいデータを他の通信装置に伝送することができる。
【００１９】
また、本発明に係る方法は、上記した方法において、上記格納するステップは、上記図形表示を収集するステップと、上記図形表示の収集に成功したか否かを決定するステップと、上記図形表示を復号化するステップと、上記復号化された図形表示を、移動通信装置が備えるデータ格納部に格納するステップとを含んでいてもよい。
【００２０】
上記方法によると、本発明に係る方法は、図形表示の収集が成功したか否かを決定することができる。そして、収集した図形表示を復号化してデータ格納部に格納することができる。このため、上記移動通信装置は、取得すべきデータをすべてデータ格納部に格納したか否かを確認して該データを記憶させることができる。
【００２１】
また、本発明に係る方法は、上記した方法において、上記図形表示の収集に成功しなかった場合、この収集が成功するまで図形表示を読取るステップをさらに含むことが好ましい。
【００２２】
上記方法によると、本発明に係る方法では、上記移動通信装置が、上記図形表示の収集が成功するまで該図形表示を読取るため、確実にデータの図形表示を収集し、データ格納部に格納させることができる。
【００２３】
また、本発明に係る方法は、上記した方法において、工場出荷時初期設定の図形表示を収集し、上記移動通信装置における工場出荷時初期設定を復元するステップをさらに含むことが好ましい。
【００２４】
なお、上記工場出荷時初期設定の図形表示とは、工場出荷時に移動通信装置が設定されている初期設定状態の情報を示す図形表示である。
【００２５】
上記方法によると、移動通信装置は、工場出荷時初期設定のデータを示す図形表示を収集することによって、工場出荷時初期設定を復元することができる。このため、上記移動通信装置は、ハードワイヤード接続またはＲＦ接続など特別な接続作業を必要とすることなく当該移動通信装置を初期設定の状態に復元することができる。
【００２６】
また、本発明に係る方法は、上記した方法において、上記データが、選択式ローミングリストデータであってもよい。
【００２７】
また、本発明に係る方法は、上記した課題を解決するために、データ格納部を備えた移動通信装置にファイルされた、選択式ローミングリストデータを取得する方法であって、上記移動通信装置は、光学式データ収集メカニズムを備えており、コンピュータの読取り可能な形式で、選択式ローミングリストデータを提供するステップと、単一のグラフィックファイルに、上記選択式ローミングリストデータを格納できるか否かを決定するステップと、選択式ローミングリストデータを、図形表示に変換するステップと、上記移動通信装置において、光学式データ収集メカニズムにより、選択式ローミングリストデータの図形表示を読取り、格納するステップとを含むことを特徴とする。
【００２８】
すなわち、本発明に係る方法では、移動通信装置が、選択式ローミングリストデータを図形表示に変換することができ、また図形表示をコンピュータの読取り可能な形式としたデータをグラフィックファイルに格納できるため、ハードワイヤード接続またはＲＦ接続など特別な接続作業を必要とすることなく選択式ローミングリストデータを取得したりあるいは他の通信装置に伝送したりすることができる。
【００２９】
また、本発明に係る方法は、上記した方法において、選択式ローミングリストデータを単一のグラフィックファイルに格納できない場合、該選択式ローミングリストデータを複数の図形表示に変換するステップを含んでいることが好ましい。
【００３０】
すなわち、本発明に係る方法は、上記した方法において、移動通信装置は、選択式ローミングリストデータを単一のグラフィックファイルに格納できない場合、選択式ローミングリストデータを複数の図形表示に変換することができる。
【００３１】
したがって、伝送する選択式ローミングリストデータのデータ量が大きい場合であっても複数の図形表示として示すことができるため、上記移動通信装置は、データ量が大きい選択式ローミングリストデータを他の通信装置に伝送することができる。
【００３２】
また、本発明に係る方法は、上記した方法において、上記格納するステップは、上記図形表示を収集するステップと、上記図形表示の収集に成功したか否かを決定するステップと、上記図形表示を復号化するステップと、復号化された選択式ローミングリストデータの図形表示を、上記移動通信装置が備える選択式ローミングリストデータ格納部に格納するステップとをさらに含んでいてもよい。
【００３３】
上記方法によると、本発明に係る方法は、図形表示の収集が成功したか否かを決定することができる。そして、収集した図形表示を復号化してデータ格納部に格納することができる。このため、上記移動通信装置は、取得すべき選択式ローミングリストデータをすべてデータ格納部に格納したか否かを確認して該選択式ローミングリストデータを記憶させることができる。
【００３４】
また、本発明に係る方法は、上記した方法において、上記図形表示の収集に成功しなかった場合、この収集が成功するまで該図形表示を読取るステップをさらに含んでいてもよい。
【００３５】
上記方法によると、本発明に係る方法では、上記移動通信装置が、上記図形表示の収集が成功するまで該図形表示を読取るため、確実に選択式ローミングリストデータの図形表示を収集し、データ格納部に格納させることができる。
【００３６】
また、本発明に係る方法は、上記した方法において、選択式ローミングリストデータの工場出荷時初期設定の図形表示を収集し、上記移動通信装置における、選択式ローミングリストデータの工場出荷時初期設定を復元するステップをさらに含んでいてもよい。
【００３７】
なお、上記選択式ローミングリストデータの工場出荷時初期設定の図形表示とは、工場出荷時に移動通信装置が設定されている、選択式ローミングリストデータの初期設定の情報を示す図形表示である。
【００３８】
上記方法によると、移動通信装置は、選択式ローミングリストデータの工場出荷時初期設定のデータを示す図形表示を収集することによって、工場出荷時初期設定の選択式ローミングリストデータを復元することができる。このため、上記移動通信装置は、ハードワイヤード接続またはＲＦ接続など特別な接続作業を必要とすることなく当該移動通信装置を初期設定の選択式ローミングリストデータに復元することができる。
【００３９】
また、本発明に係る方法は、上記した課題を解決するために、データ格納部を備えた移動通信装置にファイルされたデータを取得する方法であって、上記移動通信装置は、光学式データ収集メカニズムを有しており、コンピュータの読取り可能な形式でデータを提供するステップと、上記データを単一のグラフィックファイルに格納できるか否か決定するステップと、データを図形表示に変換するステップと、上記移動通信装置において、上記光学式データ収集メカニズムにより上記図形表示を読取るステップと、図形表示を収集するステップと、上記図形表示の収集に成功したか否かを決定するステップと、上記図形表示を復号化するステップと、上記復号化した図形表示を、移動通信装置のデータ格納部に格納するステップとを含むことを特徴とする。
【００４０】
すなわち、本発明に係る方法では、移動通信装置が、コンピュータの読取り可能な形式でデータを単一のグラフィックファイルに格納できるか否か決定し、データを図形表示に変換することができる。
【００４１】
また、移動通信装置は、上記光学式データ収集メカニズムにより上記図形表示を読取り該図形表示の収集に成功したか否かを決定し、この図形表示を復号化することができる。そして、移動通信装置は、上記復号化した図形表示を、移動通信装置のデータ格納部に格納することができる。
【００４２】
このため、本発明に係る方法では、移動通信装置は、ハードワイヤード接続またはＲＦ接続など特別な接続作業を必要とすることなくデータを取得したりあるいは他の通信装置に伝送したりすることができる。
【００４３】
また、本発明に係る方法は、上記した方法において、データを単一のグラフィックファイルに格納できない場合、該データを複数の図形表示に変換するステップをさらに含むことが好ましい。
【００４４】
上記方法によると、本発明に係る方法は、伝送するデータ量が大きくグラフィックファイルに格納できない場合であっても、複数の図形表示として示すことができるため、上記移動通信装置は、データ量が大きいデータを他の通信装置に伝送することができる。
【００４５】
また、本発明に係る方法は、上記した方法において、上記図形表示の収集に成功しなかった場合、収集に成功するまで該図形表示を読取るステップをさらに含むことが好ましい。
【００４６】
上記方法によると、本発明に係る方法では、上記移動通信装置が、上記図形表示の収集が成功するまで該図形表示を読取るため、確実にデータの図形表示を収集し、データ格納部に格納させることができる。
【００４７】
また、本発明に係る方法は、上記した方法において、工場出荷時初期設定の図形表示を収集し、上記移動通信装置における、工場出荷時初期設定を復元するステップをさらに含むことが好ましい。
【００４８】
上記方法によると、移動通信装置は、工場出荷時初期設定の図形表示を収集し、当該移動通信装置における、工場出荷時初期設定を復元することができる。
【００４９】
また、本発明に係る方法は、上記データが、選択式ローミングリストデータであってもよい。
【００５０】
また、本発明に係る情報処理装置は、上記した課題を解決するために、データを単一のグラフィックファイルとして記憶させることができるか否かを判定し、上記データが単一のグラフィックファイルとして記憶させることができないと判定された場合、上記データを複数のグラフィックファイルに分割し、上記分割したデータを図形表示に変換することを特徴とする。
【００５１】
したがって、上記情報処理装置は、伝送したいデータを図形表示として示すことができる。
【００５２】
また、本発明に係る情報処理装置は、上記した課題を解決するために、データから変換された図形表示を収集し、上記図形表示を全て収集したか否かを確認し、上記図形表示が全て収集されたと確認された場合、上記収集した図形表示を復号化し記憶することを特徴とする。
【００５３】
したがって、上記移動通信装置は、図形表示を収集することによって、データを取得することができるため、ハードワイヤード接続またはＲＦ接続など特別な接続作業を必要とすることなくデータを取得したりあるいは他の通信装置に伝送したりすることができる。
【００５４】
また、本発明に係る情報伝送システムは、上記した課題を解決するために上記情報処理装置と、上記移動通信装置とを備えることを特徴とする。
【００５５】
したがって、上記移動通信装置と上記情報処理装置との間において、該移動通信装置が情報処理装置から図形表示を収集することによって、データを取得することができるため、ハードワイヤード接続またはＲＦ接続など特別な接続作業を必要とすることなくデータを取得したりあるいは他の通信装置に伝送したりすることができる。
【発明の効果】
【００５６】
本発明に係る方法は、以上のように、データ格納部を備えた移動通信装置における、データファイルを取得する方法であって、上記移動通信装置は、光学式データ収集メカニズムを有しており、コンピュータの読取り可能な形式でデータを提供するステップと、単一のグラフィックファイルに、上記データを格納できるか否かについて決定するステップと、データを図形表示に変換するステップと、上記移動通信装置において、上記光学式データ収集メカニズムにより図形表示を読取り、格納するステップとを含むことを特徴とする。
【００５７】
すなわち、本発明に係る方法では、移動通信装置が、データを図形表示に変換することができ、また図形表示をコンピュータの読取り可能な形式としたデータをグラフィックファイルに格納できるため、ハードワイヤード接続またはＲＦ接続など特別な接続作業を必要とすることなくデータを取得したりあるいは他の通信装置に伝送したりすることができるという効果を奏す。
【００５８】
また、本発明に係る方法は、以上のように、データ格納部を備えた移動通信装置にファイルされた、選択式ローミングリストデータを取得する方法であって、上記移動通信装置は、光学式データ収集メカニズムを備えており、コンピュータの読取り可能な形式で、選択式ローミングリストデータを提供するステップと、単一のグラフィックファイルに、上記選択式ローミングリストデータを格納できるか否かを決定するステップと、選択式ローミングリストデータを、図形表示に変換するステップと、上記移動通信装置において、光学式データ収集メカニズムにより、選択式ローミングリストデータの図形表示を読取り、格納するステップとを含むことを特徴とする。
【００５９】
すなわち、本発明に係る方法では、移動通信装置が、選択式ローミングリストデータを図形表示に変換することができ、また図形表示をコンピュータの読取り可能な形式としたデータをグラフィックファイルに格納できるため、ハードワイヤード接続またはＲＦ接続など特別な接続作業を必要とすることなく選択式ローミングリストデータを取得したりあるいは他の通信装置に伝送したりすることができる。
【００６０】
また、本発明に係る方法は、以上のように、データ格納部を備えた移動通信装置にファイルされたデータを取得する方法であって、上記移動通信装置は、光学式データ収集メカニズムを有しており、コンピュータの読取り可能な形式でデータを提供するステップと、上記データを単一のグラフィックファイルに格納できるか否か決定するステップと、データを図形表示に変換するステップと、上記移動通信装置において、上記光学式データ収集メカニズムにより上記図形表示を読取るステップと、図形表示を収集するステップと、上記図形表示の収集に成功したか否かを決定するステップと、上記図形表示を復号化するステップと、上記復号化した図形表示を、移動通信装置のデータ格納部に格納するステップとを含むことを特徴とする。
【００６１】
すなわち、本発明に係る方法では、移動通信装置が、コンピュータの読取り可能な形式でデータを単一のグラフィックファイルに格納できるか否か決定し、データを図形表示に変換することができる。
【００６２】
また、移動通信装置は、上記光学式データ収集メカニズムにより上記図形表示を読取り該図形表示の収集に成功したか否かを決定し、この図形表示を復号化することができる。そして、移動通信装置は、上記復号化した図形表示を、移動通信装置のデータ格納部に格納することができる。
【００６３】
このため、本発明に係る方法では、移動通信装置は、ハードワイヤード接続またはＲＦ接続など特別な接続作業を必要とすることなくデータを取得したりあるいは他の通信装置に伝送したりすることができるという効果を奏す。
【００６４】
また、本発明に係る情報処理装置は、上記した課題を解決するために、データを単一のグラフィックファイルとして記憶させることができるか否かを判定し、上記データが単一のグラフィックファイルとして記憶させることができないと判定された場合、上記データを複数のグラフィックファイルに分割し、上記データを図形表示に変換することを特徴とする。
【００６５】
したがって、上記情報処理装置は、伝送したいデータを図形表示として示すことができるという効果を奏する。
【００６６】
また、本発明に係る情報伝送システムは、以上のように上記情報処理装置と、上記移動通信装置とを備えることを特徴とする。
【００６７】
したがって、上記移動通信装置と上記情報処理装置との間において、該移動通信装置が情報処理装置から図形表示を収集することによって、データを取得することができるため、ハードワイヤード接続またはＲＦ接続など特別な接続作業を必要とすることなくデータを取得したりあるいは他の通信装置に伝送したりすることができるという効果を奏する。
【発明を実施するための最良の形態】
【００６８】
本発明の一実施形態について図１ないし図６に基づいて説明すると以下の通りである。この図６は、本実施の形態に係るＰＣＤが読取る、図形表示の読取り処理について説明するフローチャートである。
【００６９】
なお、本発明の概要および目的は、本発明の特性を容易に理解するために提供されるものであり、以下に示す、本発明の好ましい実施形態に関する詳細な説明を図面とともに参照することで本発明をよりよく理解できる。
【００７０】
ここで、図１は、本発明の実施形態（本実施形態）を示すものであり、本実施形態に係る方法を説明するブロック図である。また、図３は、本発明の実施形態を示すものであり、情報処理装置と移動通信装置１２との間におけるデータの送受信を説明する説明図である。
【００７１】
上記したように本発明では、移動情報処理装置にデータをダウンロードする方法を提供する。なお、上記移動情報処理装置とは、例えば、携帯電話機やＰＤＡなどであり、本実施の形態においては携帯通信装置（ＰＣＤ）１２と称する。
【００７２】
すなわち、本実施の形態に係るＰＣＤ１２は、他の通信装置との通話を行う通常の通話機能およびＣＣＤカメラ１４によるカメラ撮影機能に加えて、図３に示すように情報処理装置１が表示部２において表示した図形表示を上記ＣＣＤカメラ１４によって読取り、該図形表示によって示される情報を取得するものである。なお、上記図形表示とは、上記情報処理装置において例えばバーコードのように２次元的に示されるものである。
【００７３】
この移動通信装置（ＰＣＤ）１２は、光学式データ収集メカニズムとして、ＣＣＤカメラ１４を備えている。また、上記したように本発明における移動通信装置は、データを解釈（interpret ）するアルゴリズムも提供する。つまり、本実施の形態に係るＰＣＤ１２における制御処理では、ＣＣＤカメラ１４と解釈アルゴリズムとの双方を制御する。また、この制御処理では、ＣＣＤと解釈アルゴリズムとの現在の状態に注目しているユーザからの入力を得るため、または、ＣＣＤと解釈アルゴリズムとの現在の状態に注目しているユーザへフィードバックを提供するために、ＰＣＤのユーザーインターフェースと対話(interact)してもよい。さらに、この制御処理では、光データ（optical data）に組み込まれた情報に対して応答することができる。
【００７４】
図１および図４を参照すると、本実施の形態に係る方法では、ハードワイヤ接続またはＲＦ通信接続を必要とすることなく、情報処理装置１から携帯通信装置（ＰＣＤ）１２にデータを転送するためのプロトコル１０を提供する。また、このＰＣＤ１２は、表示部１２ａ、キーパッド１２ｂ、および例えばＣＣＤカメラ１４などの画像収集メカニズムを備えている。ここで取り上げる実施例では、ＰＣＤ１２がデータベアラ（data bearer）として物理的な接続またはＲＦ接続を必要とすることなく、新規あるいは更新されたデータを、ＰＣＤ１２において選択式ローミングリスト（Preferred Roaming List; ＰＲＬ）データファイル４０に組み込むための手段を提供する。なお、このＰＲＬデータファイル４０には、ＰＣＤ１２が所定の無線ネットワークに対してどのように動作すべきかを定義するデータが含まれている。また、無線ネットワークオペレータは、無線ネットワークにおける変化を反映させるように、このＰＲＬを定期的に変更する。なお、ＰＣＤ１２が最適に機能するように、ＰＲＬデータファイル４０は、所定のネットワークに対する最新のＰＲＬを有する必要がある。
【００７５】
すなわち、このＰＣＤ１２は、図１および図４に示すように、表示部１２ａ、キーパッド１２ｂ、ＣＣＤカメラ１４、データ格納部１５、および制御処理部３４を備えている。なお、この図４は、本発明の実施形態を示すものであり、移動通信装置１２の要部構成を示すブロック図である。
【００７６】
この表示部１２ａは、当該ＰＣＤ１２における各種処理に関するユーザの入力を可能とするように、入力操作指示を表示したり、ＣＣＤカメラ１４によって撮影した画像を表示させたりするものである。
【００７７】
キーパッド１２ｂは、ユーザによる操作指示を受けるものであり、ユーザは、このキーパッド１２ｂを操作して操作指示をＰＣＤ１２に入力することができる。このユーザによる操作指示とは、例えば、ＣＣＤカメラ１４による撮影指示、電話番号の入力および入力した電話番号先への通話接続指示、映像または画像などのコンテンツデータの取得指示などに加えて、本実施例では、伝送すべきデータ（ＰＲＬデータ）を変換した図形表示の収集処理等である。
【００７８】
ＣＣＤカメラ１４は、光を電気信号に変換し出力するものであり撮影した画像（映像）をデータ格納部１５に記憶させる。
【００７９】
データ格納部１５は、コンピュータの読み書き可能な記憶媒体であり、上記ＰＲＬデータファイル４０を記憶している。なお、このＰＲＬデータファイル４０とは、ＰＣＤ１２が所定の無線ネットワークに対してどのように動作すべきかを定義するデータが含まれているデータファイルである。
【００８０】
上記制御処理部３４は、ＰＣＤ１２が備える各部を制御し、各種処理を実現するものである。制御処理部３４は、特には上述した制御処理において示したように、ＣＣＤカメラ１４を制御し図形表示を取得したり、不図示のＲＯＭから解釈アルゴリズムとして実現されるプログラムを読み出し、取得した図形表示をコンピュータの読取り可能なデータ形式に変換したりする。なお、上記解釈アルゴリズムは、後述するが図形表示が示す情報をコンピュータの読取り可能なデータ形式に変換するためのプログラムである。
【００８１】
また、制御処理部３４は、上述したように、ユーザによりキーパッド１２ｂから入力された指示に応じて、ＣＣＤカメラ１２の動作を制御したり、解釈アルゴリズムを読み出したり、あるいは、解釈アルゴリズムによって解釈（翻訳）されたデータの内容を表示部１２ａに表示する等ユーザにフィードバックできるように、ＰＣＤ１２におけるユーザーインターフェースを実現するものでもある。さらに、この制御処理部３４は、光データ（optical data）に組み込まれた情報に応じて各部を設定することができる。
【００８２】
以下において、図１および図５を参照して、本実施の形態に係る情報処理装置１において、伝送させるＰＲＬデータを表示部２に表示させる表示処理について説明する。なお、図５はＰＲＬデータを、本実施の形態に係る情報処理装置１の表示部２に表示させる表示処理について説明するフローチャートである。
【００８３】
すなわち、本実施例において移動通信装置（mobile communications device; ＭＣＤ）として言及するＰＣＤ１２に格納すべき、または、更新すべきＰＣＤ１２の新しいデータは、まず、コンピュータの読取り可能な形式に翻訳される（ブロック１６・ステップＳ１６これ以降Ｓ１６のように称する）。そして次に、本実施の形態に係る方法では、上記情報処理装置１が上記データを単一のグラフィックファイルに格納できるか否か決定する（ブロック１８・Ｓ１８）。ここで、データファイルのデータ長が長すぎて、単一のグラフィックファイルに収まらない場合（ブロック１８・Ｓ１８において「ＮＯ」）、マルチプルアソシエーテェッドグラフィクス（multiple associated graphics）、すなわち複数に関連付けられた図形を使用し、このデータが、複数のグラフィックファイルに変換される（ブロック２０・Ｓ２０）。一方、ブロック１８およびステップＳ１８において「ＹＥＳ」の場合、データを、単一の図形表示のデータファイルに変換する（ブロック２２・Ｓ２２）。そして、ここで本実施の形態に係る方法では、ＰＲＬデータは、例えば、バーコードなどの図形表示に変換される。そして、情報処理装置１は、この変換された図形表示を表示部２に表示させる（Ｓ２３）。
【００８４】
次に、上記した表示処理と同様の処理によって、情報処理装置１が備える表示部２に表示された図形表示を、本実施の形態に係るＰＣＤ１２が読取る、図形表示の読取り処理について図１および図６を参照して説明する。
【００８５】
すなわち、上記ＰＣＤ１２は、光学収集メカニズム、すなわちＣＣＤカメラ１４を用いて図形表示を読取ることにより（ブロック２４、ステップ２４）、この図形表示を読み込み、格納する。具体的にはＣＣＤカメラ１４が、図形の画像を収集し（ブロック２６・Ｓ２６）、後述する処理のために格納することができる。そして、本実施の形態に係る方法では、図形表示の収集に成功したか否かを決定する（ブロック２８・Ｓ２８）。収集に成功していない場合は（ブロック２８・Ｓ２８において「ＮＯ」）、収集に成功する（ブロック２８に対して「はい」）まで、図形を再度読取る（ブロック２４・Ｓ２４）。この処理では、上記マルチプルアソシエーテェッドグラフィックを用いる場合、合計ｘ個の図形のうちのｎ番目が復号化されていないことと、ユーザが、データファイルを完全とするために、ｎ番目の図形の再収集を行うこととを当該ユーザに通知することによって実現できる。
【００８６】
すなわち、このマルチプルアソシエーテェッドグラフィックとは例えば、合計ｘ個の図形がすべてそろうように、抜けている図形を検知し、再収集するようユーザに通知する処理である。例えば、この処理では、２番目の図形が読み込まれた後に、４番目の図形が読み込まれた場合、３番目を読み込むようユーザに指示する。
【００８７】
また、本発明の方法を実施するＰＤＣ１２は、上記符号化されたデータを変換または復号して、ＰＣＤのデータファイリングシステムに対して適切なフォーマットへ戻すために、本発明の方法のアルゴリズムを、上記格納されたグラフィックに対して適用する。（ブロック３０・Ｓ３０）そして、このデータは、ＰＣＤ１２のデータファイル部、すなわちデータ格納部１５に格納される（ブロック３２・Ｓ３２）。また、制御処理部３４では、ＣＣＤ１４と解釈アルゴリズムとを制御し、新規に復号化されたＰＲＬデータを、ＰＣＤ１２のファイルシステムまたはデータ格納部１５に格納するように指示して、新規のＰＲＬデータファイル４０または更新された既存のＰＲＬデータファイル４０を生成する。
【００８８】
また、図２に示す本発明の他の実施形態では、工場出荷時初期設定データファイル（factory default setting data file）を使用する（ブロック３６）。この工場出荷時初期設定データファイルは、概して、販売店舗による設定処理の一部で生成されるものではなく、むしろ製造時に生成されるものである。そして、それを、光学式収集メカニズムを用いて読取ることで、上記ＰＣＤ１２を工場出荷時初期設定に復元することができる。
【００８９】
すなわち、図２に示すように、ＰＣＤ１２のＣＣＤカメラ１４が読取るデータが、工場出荷時初期値３６である点が上記した実施形態と異なる。なお、この点以外は図１に示す本実施の形態に係る方法と同様であるため、各処理の説明は省略する。
【００９０】
また、他の実施形態では、不揮発性（ＮＶ）データのファイル（Non-Volatile item data）を使用している。この不揮発性（ＮＶ）データのファイルは、概して、販売店舗による設定処理の一部で生成されるものではなく、むしろ製造時に生成されるものである。この場合、不揮発性（ＮＶ）データを表す図形は、符号化データが一台の電話機、すなわち移動通信装置（ＰＣＤ）１２に対して特有のものであるという点において固有なものである。
【００９１】
なお、この不揮発性データのファイルとは、移動通信装置（ＰＣＤ）１２が備えるメモリー装置に記憶され、移動通信装置（ＰＣＤ）１２の電源を切っても保持されるデータのファイルである。そして、例えば、各移動通信装置（ＰＣＤ）１２に割り当てられた機器ＩＤのデータのファイル、該移動通信装置（ＰＣＤ）１２が備える無線部またはオーディオ部などの各部材の調整を行うことができるデータのファイル、あるいは移動通信装置（ＰＣＤ）１２が読取った画像を復号化して、その結果得られたデータのファイルなどである。
【００９２】
以上のように、光通信リンクを介して移動通信装置にデータファイルをダウンロードする方法を開示してきた。この方法を、従属請求項に定義するような本発明の範囲内でさらに変化させ、補正してもよい。
【００９３】
また、上記にて本実施形態に係るＰＣＤ１２は、情報処理装置１の表示部２に表示された図形表示をＣＣＤカメラ１４によって読取るように構成されていた。ただし、ＰＣＤ１２が図形表示を読取る先は、上記情報処理装置１に表示された図形表示に限定されるものではなく、例えばシートに印字されたバーコード等の図形表示であってもよい。
【００９４】
また、上記にて伝送される情報はＰＲＬデータであったがこれに限定されるものではなく、図形表示に変換可能な情報であればよい。
【００９５】
また、上記にて、情報処理装置１から移動通信装置１２へのデータの伝送方法について説明したが、これに限定されるものではなく、データは移動通信装置１２から当該移動通信装置１２と同様の機能を有する他の移動通信装置１２へ伝送されてもよい。また、逆に移動通信装置１２から情報処理装置１にデータが伝送されてもよい。すなわち、このＰＣＤ１２の表示部１２ａにおいて図形表示を表示させる。一方、情報処理装置１のＣＣＤカメラ３が、表示部１２ａに表示された図形表示を読取ることで、該図形表示によって示される情報を移動通信装置１２から情報処理装置１に伝送させることができる。
【００９６】
すなわち、データの送信先は、図形表示を読取る読取り手段を備え、読取った図形表示の画像データを情報として処理可能とする装置であればよい。また、データの取得先は、伝送する情報を図形表示に変換処理可能な装置であって、変換した図形表示を表示できる表示手段を備えている装置であればよい。
【産業上の利用可能性】
【００９７】
本発明に係る光データ格納部を備えた移動通信装置における、データファイルを取得する方法は、通信リンクを介して移動通信装置にデータを転送することに利用できる。また、本発明の方法は、ハードワイヤードシステムまたはＲＦ通信システムを必要とすることなく、移動機器（モバイル機器）が保持するデータファイルを更新するためのプロトコルを提供することに利用できる。
【図面の簡単な説明】
【００９８】
【図１】本発明の実施形態を示すものであり、本実施形態に係る方法を説明するブロック図である。
【図２】本発明の別の実施形態を示すものであり、本実施形態に係る方法を説明するブロック図である。
【図３】本発明の実施形態を示すものであり、情報処理装置とＰＣＤとの間におけるデータの送受信を説明する説明図である。
【図４】本発明の実施形態を示すものであり、ＰＣＤの要部構成を示すブロック図である。
【図５】ＰＲＬデータを本実施の形態に係る情報処理装置の表示部に表示させる表示処理について説明するフローチャートである。
【図６】本実施の形態に係るＰＣＤが読取る、図形表示の読取り処理について説明するフローチャートである。
【符号の説明】
【００９９】
１      情報処理装置
２      表示部
１２    移動通信装置
１２ａ  表示部
１２ｂ  キーパッド
１４    ＣＣＤカメラ
１５    データ格納部
３４    制御処理部
４０    ＰＲＬデータファイル
【図１】
2005102224.tif 000003
【図２】
2005102224.tif 000004
【図３】
2005102224.tif 000005
【図４】
2005102224.tif 000006
【図５】
2005102224.tif 000007
【図６】
2005102224.tif 000008